(57)【要約】頭部に装着して使用する、片目で画像を見るタイプの画像表示装置にある視野闘争の問題を解決し、画像を見やすくする。  画像表示装置１は、メガネ形状の本体１０を備えている。本体１０は、使用者の頭部へ固定できる。本体１０には、本体１０が使用者の頭部に固定されたときに使用者の左目の前に位置する表示装置２０と、右目の前に位置する遮蔽板３０が設けられている。表示装置２０は、内蔵の液晶ディスプレイからの画像を使用者の左目に結像させ、左目に画像を見せるようになっている。遮蔽板３０は、右目の視野のうち、左目で画像が見える範囲に対応する範囲を暗く遮蔽する。
2005026819.tif 000002
【特許請求の範囲】
【請求項１】
使用者の身体に装着して用いられる画像表示装置であって、
当該画像表示装置の使用時に使用者の一方の目の前に位置するものであり、所定の画像の像光を前記一方の目に導くことで、当該一方の目の視野の一部である表示範囲に存在するような状態で当該一方の目で前記画像を見られるようにする表示手段と、
当該画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くする遮蔽手段と、
を備えており、
それを身体に装着した使用者は、少なくとも視線を動かせば、両目で外界を見られるように構成されている、
画像表示装置。
【請求項２】
前記遮蔽手段は、半透光性、又は不透光性にされてなる、
請求の範囲第１項記載の画像表示装置。
【請求項３】
前記遮蔽手段の当該画像表示装置の使用時に使用者の目に対向する側は、単色である、
請求の範囲第１項又は第２項記載の画像表示装置。
【請求項４】
前記遮蔽手段の当該画像表示装置の使用時に使用者の目に対向する側は、黒色である、
請求の範囲第３項記載の画像表示装置。
【請求項５】
前記遮蔽手段は、板状体である、
請求の範囲第１項〜第４項のいずれかに記載の画像表示装置。
【請求項６】
前記遮蔽手段は、矩形である、
請求の範囲第５項記載の画像表示装置。
【請求項７】
前記遮蔽手段は、当該画像表示装置の使用時に、使用者の前記他方の目の近点よりも前記使用者の他方の目の近くに位置するようになっている、
請求の範囲第１項〜第６項のいずれかに記載の画像表示装置。
【請求項８】
前記画像表示装置は、使用者の頭部に装着されるようになっている、
請求の範囲第１項〜第７項のいずれかに記載の画像表示装置。
【請求項９】
前記表示範囲の面積は、前記一方の目の視野の面積の１／３以下である、
請求の範囲第１項〜第８項のいずれかに記載の画像表示装置。
【請求項１０】
使用者の身体に固定される本体部を備えており、前記表示手段は、前記本体部に対して、使用者の身体に前記本体部が固定された場合における水平方向に移動できるようにして取付けられてなる、
請求の範囲第１項〜第９項のいずれかに記載の画像表示装置。
【請求項１１】
使用者の身体に固定される本体部を備えており、前記遮蔽手段は、前記本体部に対して、使用者の身体に前記本体部が固定された場合における水平方向に移動できるようにして取付けられてなる、
請求の範囲第１項〜第９項のいずれかに記載の画像表示装置。
【発明の詳細な説明】
【技術分野】  本発明は、頭部などの身体に装着して使用可能な、小型の画像表示装置に関する。
発明の背景
頭部などの身体に装着して使用され、使用者の眼前に画像を表示するヘッドマウントディスプレイ（ＨＭＤ）が、バーチャルリアリティをはじめ種々の分野で利用されている。ＨＭＤは、通常、外光を遮断して画像のみを表示するようなものとされ、一般的にはゴーグル形状、あるいは大型のメガネのフレーム形状に形成される。ＨＭＤを使用すると、使用者はどの方向を向いていても画像を見ることができる反面、外界を見ることはできなくなる。
近年、画像を視界の一部に表示し、外界も、画像も見られるようにした小型の画像表示装置が提案されている。
このタイプの画像表示装置は、例えば、特開平７−２０９６００号公報に開示されている。この画像表示装置は、液晶表示装置（ＬＣＤ）、反射ミラー、接眼レンズ等を１つの筐体に収容するとともに、その筐体にクリップを取付けてなり、クリップでメガネやサングラスのフレームに装着するように構成されている。筐体はメガネの左右のレンズのいずれかの上部外側寄りに取付けられ、ＬＣＤに表示された画像が反射ミラーと接眼レンズ、さらにメガネのレンズを介して、使用者の一方の目に斜め上方から与えられることになる。
このタイプの画像表示装置は、視線の移動により、外界を見るか、画像を見るかの選択を行えるので、日常生活の場面で使用でき、使用の場面として室内外を特に問わない点で価値が高い。このタイプの画像表示装置は、また、片目用であるからディスプレイが一つで済む、両目用の場合に必要となることの多い目幅合わせのための機構がいらない、などの理由により機構の簡略化、低価格化が行い易い。
それゆえ、このような画像表示装置であれば、音を再生するものであり、若者のライフスタイルを大きく変えた携帯型ヘッドフォンステレオの映像版といった用途に応用可能かもしれない。
しかしながら、この画像表示装置にも改良すべき点がある。
上述の如き画像表示装置では、片目でディスプレイを、片目で周囲の景色を見ることになる。このような場合には、視野闘争の問題が生じることになる。
視野闘争とは、右目、左目から入った情報のうち、どちらか一方だけが、私たちの意識にのぼるという現象をいう。右目と左目から入った情報は通常、多少の異なる点（例えば、両目の視差）はあるものの多くの共通点を持っている。このような場合、脳は、２つの情報から１つの情報を作り上げ、これを見えている「内容」として認識する。これに対して、右目と左目のそれぞれに、共通点の少ない、相互に大きく異なる情報を入れた場合、脳は、それらの情報を上手く処理できなくなる。この場合、脳は、どちらかからの情報を優先させ、そちらの情報だけを見ているように処理を行うことがある。この場合、脳が優先させた情報に基づく画像ないし景色は見えていると認識されるけれども、脳が優先させなかった情報に基づく画像ないし景色は見えているとは認識されない。
上述の如き画像表示装置では、このような視野闘争が顕著に起きる。視野闘争が起きると、ディスプレイが見えていると認識される状況と、景色が見えていると認識される状況が交互に起こることになる。ディスプレイが見えない状況が頻発するのでは、画像表示装置として役に立たないし、またディスプレイがかろうじて見えているとしても、視野闘争が頻発するのであれば、使用者に大きな疲れを与える。
本願発明は、画像を視界の一部に表示する片目タイプの画像表示装置であって、視野闘争の問題を生じないものを提供することを、その課題とする。
【発明の開示】
かかる課題を解決するため、本願発明者は、以下の発明を提案する。
本願発明は、使用者の身体に装着して用いられる画像表示装置である。
この画像表示装置は、当該画像表示装置の使用時に使用者の一方の目の前に位置するものであり、所定の画像の像光を前記一方の目に導くことで、当該一方の目の視野の一部である表示範囲に存在するような状態で当該一方の目で前記画像を見られるようにする表示手段と、当該画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くする遮蔽手段と、を備えている。また、この画像表示装置は、それを身体に装着した使用者が、少なくとも視線を動かせば、外界を両目で（同時に）見られるように構成されている。外界を両目で見られることにより、外界を遠近感のある状態で見られるようになるので、画像表示装置を付けたままでの歩行が行い易くなる。なお、画像表示装置は、視線を下方向に向けたときに、外界を両目で見られるようになっていてもよい。画像表示装置を装着した状態での歩行を念頭においた場合、足元の視野が確保できていることは重要であるからである。
まず、この画像表示装置は、少なくとも視線を動かせば外界を見られるようになっており、また、片目で画像を見るタイプとされている画像表示装置である。したがって、この画像表示装置は、何らの工夫をもしなければ、上述の如き視野闘争の問題を生じてしまうものである。
本発明では、遮蔽手段を設けることで、この問題を解決している。
表示手段が配されるのと逆側の目の視野のうち、表示範囲に対応する部分から来る光を、遮蔽手段によって、表示手段が配される方の目に表示範囲から入る光よりも少なくしてやることで、表示手段が配されたのとは逆側の目のうち、表示範囲に対応した部分を事実上機能しないようにすることができる。
この場合、各目から入ってくる情報は異なるものとなっているが、脳は表示手段が配された側の目（この明細書では、「一方の目」と表現する場合がある。）から入ってきた情報を優先して認識することになる。これにより、本発明の画像表示装置では、視野闘争が生じなくなる。なお、一方の目が、その使用者の利き目であれば、視野闘争はより生じなくなる。
本発明の画像表示装置における遮蔽手段は、当該画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くするものであれば、その詳細を問わない。
遮蔽手段は、例えば、半透光性又は不透光性にされる。遮蔽手段は、半透光性又は不透光性の素材でできていてもよく、また複数の素材でできており全体として半透光性又は不透光性となっていてもよい。
遮蔽手段は、柄があるものでもよいし、柄がないものでもよい。遮蔽手段の当該画像表示装置の使用時に使用者の目に対向する側は、単色であってもよい。そうすることで、視野闘争がより生じづらくなる。前記遮蔽手段の当該画像表示装置の使用時に使用者の目に対向する側が単色である場合、その色は黒色であってもよい。黒色でなくても、明度の低い色であれば、視野闘争が生じづらくなる。
遮蔽手段の形状にも、特に制限はない。遮蔽手段は、例えば、板状体とすることができる。板状体の遮蔽手段は、例えば、矩形、円形などにすることができる。
遮蔽手段の大きさは、表示範囲の大きさと、遮蔽手段が本発明における「他方の目」からどのくらい離れているかによって、適宜決定すればよい。遮蔽手段が本発明における「他方の目」に近い程、その大きさは小さくても良いことになる。
遮蔽手段は、画像表示装置の使用時に、使用者の「他方の目」の近点よりも使用者の「他方の目」の近くに位置するようになっていても構わない。
表示範囲の面積は、必ずしもそうする必要はないが、前記一方の目の視野の面積の１／３以下とすることができる。遮蔽手段は、この場合、前記他方の目の視野の面積の１／３程度、或いはそれ以上の面積を遮蔽するものとなる。
一般に、人間の片目の視野は、個人差もあり、またどの色について語るかによって異なるのであるが、左右方向が１６０°〜１７０°、上下方向が６０°〜７０°である。上述の表示範囲は、例えば、左右で２０°程度にすれば十分に実用に足る。左右の画角をそれ以上にすることも可能である。
なお、表示手段は、画像表示装置を身体に装着した使用者が、表示手段を見ながら、視線を動かすことなく、外界を見られるように構成することができる。つまり、表示手段が配される側の目は、その画像を見ながら周囲の景色を見られるようにすることができる。この場合における周囲とは、表示手段を取囲む部分のすべてでも、一部でもよい。遮蔽手段も同様に、画像表示装置を身体に装着した使用者が、視線を動かすことなく、外界を見られるように構成することができる。つまり、この場合、遮蔽手段が配される側の目は、一方の目で画像を見ているときでも、周囲の景色を見られるようになる。この場合における周囲とは、遮蔽手段を取囲む部分のすべてでも、一部でもよい。
画像表示装置は、使用者の身体の一部に装着できるようになっていればよい。例えば、画像表示装置は、使用者の頭部に装着されるようになっていてもよい。使用者の頭部に装着して、頭部の動きに連動するようにすることもできる。
画像表示装置は、使用者の身体に固定される本体部を備えていてもよい。この場合、前記表示手段は、使用者の身体に固定される本体部に取付けられるものとされていてもよい。表示手段は、前記本体部に対して、使用者の身体に前記本体部が固定された場合における水平方向に移動できるように取付けられていてもよい。これにより、表示手段の使用者の目に対する位置合わせを行えるようになる。画像表示装置が本体部を備える場合、前記遮蔽手段は、本体部に取付けられるものとされていてもよい。この場合、遮蔽手段は、前記本体部に対して、使用者の身体に前記本体部が固定された場合における水平方向に移動できるように取付けられていてもよい。これにより、遮蔽手段の使用者の目に対する位置合わせを行えるようになる。なお、この場合における本体部はどのような形状でも構わない。例えば、眼鏡フレームのような形状とすることができる。また、本体部は、身体のどの部分に固定されるようになっていてもよい。
【図面の簡単な説明】  図１は、本実施形態の画像表示装置の全体を上後方から見たところを示す斜視図である。
図２は、図１に示した画像表示装置を背後方向から見たところを示す斜視図である。
図３は、図１に示した画像表示装置の表示装置を拡大して示す平面図である。
図４は、図１に示した画像表示装置の表示装置と左目用フレーム枠の関係を拡大して示す斜視図である。
図５は、図１に示した画像表示装置の表示装置を上側から見たところを示す透視図である。
図６は、図１に示した遮蔽板の断面図である。
図７において、分図（Ｌ）は、図１に示した画像表示装置を使用しているときに、使用者の左目に見えるものを概念的に示す図であり、分図（Ｒ）は、図１に示した画像表示装置を使用しているときに、使用者の右目に見えるものを概念的に示す図である。
図８は、図１に示した画像表示装置を使用しているときに、使用者が図７に示したものに基づいて認識できるものを概念的に示す図である。
【発明を実施するための最良の形態】  以下に、本発明の好ましい一実施形態を、図面を参照しながら詳細に説明する。
図１は、本発明の一実施形態による画像表示装置１を上後方から見たときの全体を示す斜視図である。図２は、同画像表示装置１を背後方向から見たときの全体を示す斜視図である。なお、画像表示装置１の背後とは、画像表示装置１を使用者の顔に装着した場合に、使用者の顔に近い側をいう。
この画像表示装置１は、本体１０と、画像を表示するための表示装置２０、及び遮蔽板３０を含んで構成されている。
本体１０は、表示装置２０と、遮蔽板３０とを保持し、且つ画像表示装置１の使用者の頭部への固定をなすためのものである。この実施形態における本体１０は、これには限られないが、メガネのフレーム形状をしており、つる１１とフレーム枠１２を含んで構成されている。もっとも、本体１０は、必ずしもメガネのフレーム形状をしている必要はない。
画像表示装置１は、使用者の頭部に装着して使用される。本体１０のつる１１を使用者の両耳にかけることにより、画像表示装置１は、使用者の頭部に固定的に装着されることになる。
また、つる１１は不使用時には、フレーム枠１２に向かって折り畳めるようになっている。
フレーム枠１２は、右目用フレーム枠１２Ｒと、左目用フレーム枠１２Ｌを含んでいる。右目用フレーム枠１２Ｒと、左目用フレーム枠１２Ｌは、ブリッジ１２Ｂで連結されている。このブリッジ１２Ｂはノーズパットの機能を有するものとなっている。
右目用フレーム枠１２Ｒは、画像表示装置１の使用者の頭部への固定的な装着をなしたときに、使用者の右目の前方に位置するフレーム枠１２であり、左目用フレーム枠１２Ｌは、画像表示装置１の装着をなしたときに、使用者の左目の前方に位置するフレーム枠１２である。かならずしもそうである必要はないが、この実施形態では、両フレーム枠１２Ｌ、Ｒともに、環状に形成されている。より詳細には、両フレーム枠１２Ｌ、Ｒともに、横長の小判形状に形成されている。
この実施形態における右目用フレーム枠１２Ｒ、左目用フレーム枠１２Ｌの内側には、レンズは嵌められていない。
表示装置２０は左目用フレーム枠１２Ｌの内側に、遮蔽板３０は右目用フレーム枠１２Ｒの内側に、それぞれ取付けられる。表示装置２０と、遮蔽板３０の位置関係は逆でも構わない。使用者の利き目を予め調べ、利き目の側に表示装置２０を固定する方がよい。
表示装置２０は、本発明の表示手段に相当するものであり、画像表示装置１の使用時に、使用者の一方の目（この実施形態では、左目）の前に位置するものであり、所定の画像の像光を左目に導くことで、使用者が左目で画像を見られるようにするものである。使用者は、その左目の視野の一部である表示範囲に存在するような状態で、上述の画像を見ることになる。
表示装置２０は、図３に示したように、略直方体形状に形成されたケース２１を備えている。この実施形態におけるケース２１は樹脂製である。ケース２１の後面（使用時に、使用者の顔と対向する面）には、鏡筒２２が設けられている。鏡筒２２は、略円筒形状である。ケース２１の後面の上下には、凹溝２３がそれぞれ設けられている。図３には、後面の上側の凹溝２３しか示されていないが、後面の下側にもこれと同じような凹溝が設けられている。凹溝２３は、表示装置２０の左目用フレーム枠１２Ｌへの固定を行うためのものである。上側の凹溝２３の内側に左目用フレーム枠１２Ｌの上側の部分を、下側の凹溝に左目用フレーム枠１２Ｌの下側の部分をそれぞれ嵌めこむことで、表示装置２０の左目用フレーム枠１２Ｌへの固定がなされるようになっている（図４参照）。
このような構成により、表示装置２０は、左目用フレーム枠１２Ｌの内側にはめ込まれた状態で、水平方向に移動、より詳細には平行移動することができることになる。
表示装置２０は、ケーブルＣと接続されている。このケーブルＣは、後述するように、画像信号を表示装置２０へと送るものである。ケーブルＣは、左側のつる１１に固定されている。
また、ケース２１の内部には、図５に示したように、変換基板２４、バックライトユニット２５、液晶ディスプレイ２６が設けられている。
鏡筒２２の内部には拡大レンズ２７が設けられている。
変換基板２４は、ケーブルＣと接続されており、ケーブルＣを介して外部から送られてくる画像信号を、液晶ディスプレイ２６に表示できるようなものに変換し、液晶ディスプレイ２６の制御を行うものである。
なお、変換基板２４は、表示装置２０の外部から、ビデオ信号やＲＧＢ信号などの画像信号をケーブルＣを介して受信して、この画像信号に基づく画像を液晶ディスプレイ２６に表示する。もっとも変換基板２４は、表示装置２０の内部に設けられている必要はなく、そのすべて、或いは一部が、表示装置２０外に設けられていても構わない。また、画像信号を無線で受信するようになっていてもよい。
変換基板２４は、また、テレビチューナを含んで構成されていてもよい。この場合、変換基板２４は、一般的なテレビ放送用の電波を受信し、これをデコードすることで、テレビ放送の画像を液晶ディスプレイ２６に表示する。他の例として、所定のコンピュータを含むＬＡＮから有線又は無線で画像データを受取る手段を備えた変換基板２４を挙げることができる。この場合、変換基板２４は、所定のコンピュータからＬＡＮを介して受付けた画像データに基づいて、液晶ディスプレイ２６に表示する画像についての画像データを生成する。変換基板２４が液晶ディスプレイ２６に表示する画像は、これらにとどまらず、ＤＶＤなどの記録媒体に記録されていた画像データに基づいて再生された画像や、パーソナルコンピュータや、ゲーム装置などのコンピュータにより生成された画像データに基づいて再生された画像など、多岐にわたる可能性がある。
バックライトユニット２５は、液晶ディスプレイ２６を背後から照明するバックライトを含んでおり、その制御まで行うものとなっている。
液晶ディスプレイ２６は、変換基板２４の制御下で、動画、或いは静止画である所定の画像を表示するものである。
拡大レンズ２７は、液晶ディスプレイ２６に表示された画像の像光を、拡大するものである。なお、拡大レンズ２７は、１枚である必要はなく、複数枚のレンズから構成されている場合もある。この実施形態の拡大レンズ２７は、また、鏡筒２２を回転させることで前後動するようになっている。これにより、使用者の視力に多少バラツキがあったとしても、使用者の目に上述の画像をしっかり結像させられるようになる。
遮蔽板３０は、本発明の遮蔽手段に相当する。
遮蔽板３０は、画像表示装置１の使用時に使用者の他方の目（この実施形態では、右目）の前に位置するものであり、使用者の右目の視野の遮蔽範囲に入ってくる光を、使用者の左目の表示範囲に入ってくる光よりも弱くするものである。なお、遮蔽範囲とは、表示範囲に略対応する範囲、又は当該範囲を含むより広い範囲をいう。これについては、後述する。
この実施形態では、遮蔽板３０は、矩形の板状体となっている。また、図６に示したように、溝３１をその上下に備えている。遮蔽板３０は、樹脂、木、紙、金属などによって形成することができるが、この実施形態では樹脂によって形成されている。この遮蔽板３０は、不透明な樹脂でできているが、透光性がある程度低いのであれば、半透明の樹脂でできていても構わない。例えば、比較的濃色で、透光率が５０％以下のレンズと同様の素材を遮蔽板に用いることができる。
溝３１は、遮蔽板３０の右目用フレーム枠１２Ｒへの固定を行うためのものである。上側の溝３１の内側に右目用フレーム枠１２Ｒの上側の部分を、下側の溝３１に右目用フレーム枠１２Ｒの下側の部分をそれぞれ嵌めこむことで、遮蔽板３０の右目用フレーム枠１２Ｒへの固定がなされるようになっている。
このような構成により、遮蔽板３０は、右目用フレーム枠１２Ｒの内側にはめ込まれた状態で、水平方向に移動、より詳細には平行移動することができることになる。
この実施形態における画像表示装置１の使用方法を説明する。
画像表示装置１を用いるには、まず、本体１０に対する表示装置２０と、遮蔽板３０の取付けを行う。この場合、表示装置２０を左目用フレーム枠１２Ｌの内側で水平方向に移動させて表示装置２０の左目に対する位置合わせを行う。また、遮蔽板３０を右目用フレーム枠１２Ｒの内側で水平方向に移動させて遮蔽板３０の右目に対する位置合わせを行う。なお、ここでの表示装置２０、遮蔽板３０の位置合わせは、大まかに行えば足りる。
次いで、拡大レンズ２７の調整を行う。拡大レンズ２７は、使用者の視力に応じて移動させる。なお、この実施形態では、鏡筒２２を回転することで拡大レンズ２７が前後動（光軸に沿う方向での移動）を行うようになっているが、拡大レンズ２７の光軸方向への移動は他の手段によって行われるようになっていても構わない。また、使用者の視力に応じて拡大レンズ２７を例えば鏡筒２２ごと交換できるようにしてもよい。
次に、画像表示装置１を、使用者の顔に固定する。使用者は、画像表示装置１のつる１１を両耳に係止する。
ケーブルＣに接続されたものの電源を入れるなどすると、画像信号がケーブルＣを介して送られてくる。これは、変換基板２４でデコードされるなどして液晶ディスプレイ２６に送られる。液晶ディスプレイ２６は、これに基づいて画像の表示を行う。バックライトユニット２５に含まれるバックライトからの光である、この画像についての像光は、拡大レンズ２７を介して使用者の左目に送られ、使用者の左目に結像する。
このとき、画像ＧＬは、使用者の左目には、図７（Ｌ）に示したように見える。図７（Ｌ）に示したように、画像ＧＬは、一般的には暗い空間ＳＬの中に、ぽっかり浮かんでいるように見える。画像ＧＬが存在するように見える範囲が、本発明の表示範囲に相当する。なお、画像ＧＬの周りにある空間ＳＬは、拡大レンズ２７の瞳に対応するものである。また、空間ＳＬの周りには、鏡筒２２の先端がぼんやりと見える。鏡筒２２の先端がぼんやりとしか見えないのは、これが使用者の左目の近点よりも使用者よりにあるからである。また、鏡筒２２の周囲には、外界ＯＬが見える。外界ＯＬの周縁は、使用者の左目の視野に一致している。この実施形態における表示範囲の大きさは、使用者の左目の視野の１／３よりもずっと小さくなっている。なお、この表示範囲の画角は、左右方向で２０°程度である。
この実施形態では、使用者は、表示範囲を見ている状態で、視線を動かすことなく、両目で同時に外界の景色も認識できる。使用者は、また、視線を下に落とせば、両目で同時に足元を見ることができる。
他方、このときの使用者の右目の前には、遮蔽板３０が位置している。このとき、使用者の右目には、図７（Ｒ）に示すように、遮蔽板３０がぼんやりとみえる。遮蔽板３０がぼんやりとしか見えないのは、この遮蔽板３０の位置が使用者の右目の近点よりも使用者の右目に近い位置にあるからである。使用者の右目には、主として外界ＯＲが見えている。先ほどの遮蔽板３０は、左目の表示範囲ＧＬに対応する範囲ＧＬ’を含むようにして右目の視野の中に黒く見えている。これは、遮蔽板３０がある範囲（本発明の遮蔽範囲に相当する）から右目に入ってくる光が、画像ＧＬが見えている範囲（表示範囲）から左目に入ってくる光よりも弱くなっていることを意味する。
この実施形態では、使用者は、遮蔽板３０を見ている状態で、視線を動かすことなく、外界の景色も認識できる。
このとき、左目で見た画像ＧＬと、右目で見た遮蔽板３０とは、脳の中で合成されて、図８に示すように、見える。
つまり、黒い遮蔽板３０の上に、画像ＧＬが乗っているように見えるのである。つまり、この状態では、左目の視野の中で画像ＧＬが見える範囲である表示範囲と、右目の視野のうちの表示範囲に対応する範囲では、右目が受ける光刺激が、左目の場合よりも少なくなるため、視野闘争はほとんど起こらなくなる。
この状態で、使用者は、画像を楽しめる。
また、使用者は、周囲に若干の景色が見えているから、安全性が高く、また積極的に視線を動かせば、足元などの周囲をより良く見ることができる。
【図１】
2005026819.tif 000003
【図２】
2005026819.tif 000004
【図３】
2005026819.tif 000005
【図４】
2005026819.tif 000006
【図５】
2005026819.tif 000007
【図６】
2005026819.tif 000008
【図７】
2005026819.tif 000009
【図８】
2005026819.tif 000010
【手続補正書】
【提出日】平成17年6月9日(2005.6.9)
【手続補正００１】
【補正対象書類名】特許請求の範囲
【補正対象項目名】請求項１
【補正方法】変更
【補正の内容】
【請求項１】使用者の身体に装着して用いられる画像表示装置であって、
当該画像表示装置の使用時に使用者の一方の目の前に位置するものであり、所定の画像の像光を前記一方の目に導くことで、当該一方の目の視野の一部である表示範囲に存在するような状態で当該一方の目で前記画像を見られるようにする表示手段と、
当該画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くする遮蔽手段と、
を備えており、
それを身体に装着した使用者は、前記一方の目で前記画像を正視しているときでも両目で外界を見られるように、且つ視線を動かすことで両目で外界を前記一方の目で前記画像を正視しているときよりも広い範囲で見られるように構成されている、
画像表示装置。
【国際調査報告】
2005026819.tif 000011
2005026819.tif 000012
2005026819.tif 000013
2005026819.tif 000014